(57)【要約】      （修正有）【課題】ベースの上面部に取着せしめ組立てる機構にして、組立てに要する所要時間を著しく節減し、製造費を安価にする。また、振子と差動トランスのコアとを接続するロットを著しく短くして、総合精度のバラ付きを極めて小さくした電子水準器を提供する。【解決手段】振子ｃ付き振子ホルダａと差動トランスｄを内蔵するセンサホルダｂとを別設し、前記振子ホルダａと前記センサホルダｂとを所定の間隔を開け、前記振子ｃと前記コアとをロット２で接続せしめ組立てる。また、前記センサホルダｂの反対側方に磁石付き制動部ｅが位置するように前記制動部ｅをベースｆの上面部３に並列状に取着せしめ組立てる。【選択図】図１
0003142780.tif 000002
【実用新案登録請求の範囲】
【請求項１】
振子付き振子ホルダと差動トランスを内蔵するセンサホルダとを別設し、前記振子ホルダと前記センサホルダとを所定の間隔を開け、前記振子と前記コアとをロットで接続せしめ組立てることを特徴とする電子水準器。
【請求項２】
前記センサホルダの反対側方に磁石付き制動部が位置するように前記制動部をベースの上面部に並列状に取着せしめ組立てることを特徴とする請求項１に記載の電子水準器。
【請求項３】
前記振子ホルダは、立設状の左脚部と立設状の右脚部を有し、前記両脚部の間は間隙部を形成し、前記間隙部内に前記振子が吊下げられていることを特徴とする請求項１又は同２に記載の電子水準器。
【請求項４】
前記左脚部と右脚部との間の間隙部の幅員が、前記振子の厚さよりも稍大き目に形成されていることを特徴とする請求項１又は同２又は同３に記載の電子水準器。
【請求項５】
前記差動トランス及びセンサホルダを、並列状に取着せしめた前記ベースの上面部を左右、前後方向に、又は高さ位置決め冶具又はスペーサーを入れることにより高さも移動可能にしたことを特徴とする請求項１又は同２又は同３又は同４に記載の電子水準器。
【請求項６】
前記制動部は、小型にするため希土類磁石を内蔵せしめ且前記センサホルダと反対方向に置くことにより高さを低くすることを特徴とする請求項１又は同２又は同３又は同４又は同５に記載の電子水準器。
【請求項７】
前記振子と前記コアとを接続する前記ロッドの長さを短く小型にしたことを特徴とする請求項１又は同２又は同３又は同４又は同５又は同６に記載の電子水準器。
【考案の詳細な説明】
【技術分野】
【０００１】
本考案は、電子水準器の技術分野に関するものである。
【背景技術】
【０００２】
従来電子水準器として、特開平１１−１６６８２９号公開特許公報が開示されているが、この公報の電子水準器は容器２内に液体が注入されており、振子を使用するものではない（図５（ｂ））。
【０００３】
さらに従来特開２００５−２３３９５２公開特許公報の非接触型電子水準器が開示されているが、この公報の発明は振子とセンサホルダの差動トランスとをロットで接続する方式が採用されていない。
【０００４】
また従来市販されているタイプの電子水準器としては、振子を吊下げする機構の振子ホルダと、差動トランスが内蔵されているセンサホルダとが一体型のものであった。
【０００５】
そのため、振子ホルダとセンサホルダが一体化となっている従来型の電子水準器は、前記振子と前記差動トランスのコアとを接続しているロットが長いので、総合精度のバラ付きがあった。
【０００６】
さらに従来の市販タイプの電子水準器は、振子ホルダと差動トランスとが一体化となっているがために、差動トランスのみを動かすことができず、振子機構を調整するときは、再度組み直しをするしかなく煩雑であり、従って組立て作業に要する時間が多くかかっていた。
【０００７】
また従来市販タイプの電子水準器は、吊下げられている振子の下方部に制動部を位置せしめて、アルニコ磁石が取付けられていたので、前記磁石の分とも前記振子ホルダとセンサホルダとが一体化している支持部材の高さが高く全体が大型化しており、その分とも材料費が高騰していた。
【特許文献１】特開平１１−１６６８２９号
【特許文献２】特開２００５−２３３９５２
【考案の開示】
【考案が解決しようとする課題】
【０００８】
しかるに本考案は、前記した従来市販タイプの電子水準器が有していた多くの欠陥を下記のようにして解決した。
【０００９】
本考案は、従来タイプの電子水準器が有していた欠陥を解決するために、振子付きホルダと、差動トランスが内蔵するセンサホルダとを別設してベースの上面部に取着せしめ組立てる機構にして、組立てに要する所要時間を著しく節減し、製造費を安価にし、提供できるようにした。
【００１０】
さらに本考案は、従来タイプの電子水準器が有していた欠陥を解決するために、振子付きホルダと差動トランスを内蔵したセンサホルダとを別設し、前記振子と差動トランスのコアとを接続するロットを著しく短くして、総合精度のバラ付きを極めて小さくした。
【００１１】
また本考案は、従来タイプの電子水準器が有する欠陥を解決するために、組み付け冶具を使用し、差動トランスのコア調整を極めて仕易くし、そのため組立に要する所要時間を大幅に短縮せしめた。
【００１２】
さらに本考案は、従来タイプの電子水準器が有する欠陥を解決するために、希土類磁石を内蔵した制動部の取着位置を振子ホルダをはさんで前記センサホルダと反対側に設置して、小型化を図り、さらに製品全体を小型化し、梱包の点と収納スペースを著増するようにした。
【課題を解決するための手段】
【００１３】
上記標題を解決するための手段として、請求項１に記載の電子水準器は、振子ｃ付き振子ホルダａと差動トランスｄを内蔵するセンサホルダｂとを別設し、前記振子ホルダａと前記センサホルダｂとを所定の間隔を開け、前記振子ｃと前記コア１とをロット２で接続せしめ組立てる電子水準器である。
【００１４】
上記標題を解決するための手段として、請求項２に記載の電子水準器は、前記センサホルダｂの反対側方に磁石付き制動部ｅが位置するように前記制動部ｅをベースｆの上面部３に並列状に取着せしめ組立てる電子水準器である。
【００１５】
上記標題を解決するための手段として、請求項３に記載の電子水準器は、前記振子ホルダａは、立設状の左脚部４と立設状の右脚部５を有し、前記両脚部の間は間隙部６を形成し、前記間隙部６内に前記振子ｃが吊下げられている電子水準器である。
【００１６】
上記標題を解決するための手段として、請求項４に記載の電子水準器は、前記左脚部４と右脚部５との間の間隙部６の幅員が、前記振子ｃの厚さよりも稍大き目に形成されている電子水準器である。
【００１７】
上記標題を解決するための手段として、請求項５に記載の電子水準器は、前記差動トランスｄ及びセンサホルダｂを、並列状に取着せしめた前記ベースｆの上面部３を左右、前後方向に、又は高さ位置決め冶具又はスペーサーを入れることにより高さも移動可能にした電子水準器である。
【００１８】
上記標題を解決するための手段として、請求項６に記載の電子水準器は、前記制動部ｅは、小型にするため希土類磁石を内蔵せしめ且前記センサホルダｂと反対方向に置くことにより高さを低くする電子水準器である。
【００１９】
上記標題を解決するための手段として、請求項７に記載の電子水準器は、前記振子ｃと前記コア１とを接続する前記ロッド２の長さを短く小型にした電子水準器である。
【考案の効果】
【００２０】
請求項１の本考案は、振子ｃ付き振子ホルダａと差動トランスｄを内蔵するセンサホルダｂとを別設し、前記振子ホルダａと前記センサホルダｂとを所定の間隔を開け、前記振子ｃと前記コア１とをロット２で接続せしめ組立てる電子水準器なので、従来タイプの電子水準器と異なり、前記差動トランスのコアと前記振子とを接続するロットが短くなったため総合精度のバラ付きが少なくなった利点を有している。
【００２１】
さらに本考案は、前記差動トランスを内蔵せしめるセンサホルダと振子付き振子ホルダとを別設して組立てたので、組み付け作業が従来タイプの電子水準器のようにセンサホルダと振子とが一体化されたホルダのために調整作業が煩雑で、且調整時間に多くの時間を要していたものが、著しく簡単にして、且調整作業時間を短縮せしめることができた。
【００２２】
また本考案は、差動トランスのコア調整が仕易くなったため、組立て作業時間が従来タイプのものに比し、約５０％も減縮できる利点を有している。
【００２３】
さらに本考案は、制動部に使用する制動用磁石を従来のアルニコより希土類磁石に変更したため小型となり、且磁石の取着位置をセンサホルダと反対側の位置に変更したことにより製品を小型化することができた。
【００２４】
そのため、製品の梱包ケース等の制作費の節減や、製品の整理整頓のための空間占拠率を節減し、製品の管理費用の節減に貢献した。
【００２５】
また本考案は、前記コアが前記差動トランス穴のほぼ中心に位置していなければならないので、仮にも左右、上下に０．２ｍｍ以上ずれている場合は、従来タイプの電子水準器では、固定した振子用ハンガーボルトを緩め、振子を再度コアのずれ分だけ補正しなければならないものを、本考案においては、高さ位置決め冶具で上下補正を行いセンサホルダのみを左右に移動することができるため、振子部分の再調整作業が不要となった。
【００２６】
そのため組み付け時間を大幅に短縮できる利点がある。
【００２７】
請求項２の本考案は、前記センサホルダｂの反対側方に磁石付き制動部ｅが位置するように前記制動部ｅをベースｆの上面部３に並列状に取着せしめ組立てる電子水準器なので前記請求項１に記載の考案の効果と同じ効果を有している。
【００２８】
請求項３の本考案は、前記振子ホルダａは、立設状の左脚部４と立設状の右脚部５を有し、前記両脚部の間は間隙部６を形成し、前記間隙部６内に前記振子ｃが吊下げられている電子水準器なので、立設状の左右両脚部４、５との間に形成された間隙部６内に振子ｃを確実に吊下げることができる利点を有している。
【００２９】
さらに本考案は、前記請求項１又は同２に記載の考案と同じ効果を有している。
【００３０】
請求項４の本考案は、前記左脚部４と右脚部５との間の間隙部６の幅員が、前記振子ｃの厚さよりも稍大き目に形成されている電子水準器なので、前記請求項１又は同２又は同３に記載の考案と同じ効果を有している。
【００３１】
請求項５の本考案は、前記差動トランスｄ付きセンサホルダｂを、並列状に取着せしめた前記ベースｆの上面部３を左右、前後方向に、又は高さ位置決め冶具又はスペーサーを入れることにより高さも移動可能にした電子水準器なので、前記請求項１又は同２又は同３又は同４に記載の考案と同じ効果を有している。
【００３２】
請求項６の本考案は、前記制動部ｅは、小型にするため希土類磁石を内蔵せしめ且前記センサホルダｂと反対方向に置くことにより高さを低くする電子水準器なので、前記請求項１又は同２又は同３又は同４又は同５に記載の考案と同じ効果を有している。
【００３３】
請求項７記載の考案は、前記振子ｃと前記コア１とを接続する前記ロッド２の長さを短くした電子水準器なので、前記請求項１又は同２又は同３又は同４又は同５又は同６に記載の考案と同じ効果を有している。
【考案を実施するための最良の形態】
【００３４】
請求項１〜７に記載の考案に関する実施の形態は共通しているので以下のとおり一括して説明する。
【００３５】
本考案の電子水準器は、以下の構成部材からなっている。
【００３６】
図においてａは振子ｃ付き振子ホルダ、ｂは差動トランスｄを内蔵するセンサホルダであり、夫々別設する。前記振子ホルダａとセンサホルダｂとは所定の間隔を開けて前記振子ｃと前記コア１とをロット２で接続せしめると共に、前記センサホルダｂの反対側方に磁石付き制動部ｅが位置するように前記振子ホルダａとセンサホルダｂと制動部ｅをベースｆの上面部３に並列状に取着せしめ組立てる。
【００３７】
前記振子ホルダａは、立設状の左脚部４と立設状の右脚部５を有し、前記両脚部４、５の間は間隙部６を形成し、前記間隙部６内に前記振子ｃが吊下げられる。
【００３８】
前記左脚部４と右脚部５との間の間隙部６の幅員は、前記振子ｃの厚さよりも稍大き目に形成する。
【００３９】
７は振子ｃを吊下げる振子ホルダａに取着のハンガーボルトである。
【００４０】
つぎにセンサホルダｂは、差動トランスｄが内蔵され、且前記差動トランスｄ内にコア１が内設されている。
【００４１】
８前記差動トランスｄに接続する電気コードである。
【００４２】
前記構成からなるセンサホルダｂは、前記振子ホルダａと若干の間隙を設けてベースｆの上面部３に取着する。
【００４３】
そして、前記コア１と前記振子ｃとを直線状のロット２をもって水平状に接続し組立てる。
【００４４】
さらに前記センサホルダｂ内のコア１がトランス穴１ａのほぼ中心に位置するように設定されているが、もしも、前記コア１が左右、上下に０．２ｍｍ以上ずれている場合は、前記振子ｃの調整はそのままにしておき、前期センサホルダｂのみを取付けボルト等をゆるめて前記センサホルダｂだけを左右に動かし又上下のずれは位置決め冶具にて調整する。従って前記振子ｃサイドはセット状態のままで再調整はしないのが本考案の特長である。
【００４５】
前記のようにロット２の長さを短くすることによって、材料の節約ができる。
【００４６】
つぎに前記制動部ｅについて説明すと、該制動部ｅは、希土類磁石を内蔵した。そのため前記制動部ｅの小型化が図れた。
【００４７】
前記制動部ｅは前記振子ホルダａを基点にすると前記センサホルダｂと反対側のベースｆの上面部３に取着する。
【図面の簡単な説明】
【００４８】
【図１】本考案電子水準器の正面図である。
【００４９】
【図２】同平面図である。
【００５０】
【図３】同右側面図である。
【００５１】
【図４】同左側面図である。
【００５２】
【図５】同振子ホルダの正面図である。
【００５３】
【図６】同振子ホルダの平面図である。
【００５４】
【図７】同振子ホルダの底面図である。
【００５５】
【図８】同振子ホルダの縦断面図である。
【００５６】
【図９】同振子ホルダの右側面図である。
【００５７】
【図１０】同振子ホルダの左側面図である。
【００５８】
【図１１】同ベースの平面図である。
【００５９】
【図１２】同ベースの正面図である。
【００６０】
【図１３】同電子水準器を左側方よりみたときの斜視図である。
【００６１】
【図１４】同器を右側方よりみたときの斜視図である。
【符号の説明】
【００６２】
ａ        振子ホルダ
ｂ        センサホルダ
ｃ        振子
ｄ        差動トランス
ｅ        制動部
ｆ        ベース
１        コア
１ａ      トランス穴
２        ロット
３        上面部
４        左脚部
５        右脚部
６        間隙部
７        ハンガーボルト
【図１】
0003142780.tif 000003
【図２】
0003142780.tif 000004
【図３】
0003142780.tif 000005
【図４】
0003142780.tif 000006
【図５】
0003142780.tif 000007
【図６】
0003142780.tif 000008
【図７】
0003142780.tif 000009
【図８】
0003142780.tif 000010
【図９】
0003142780.tif 000011
【図１０】
0003142780.tif 000012
【図１１】
0003142780.tif 000013
【図１２】
0003142780.tif 000014
【図１３】
0003142780.tif 000015
【図１４】
0003142780.tif 000016